(57)【要約】【課題】マーキングペンを携帯して、描画乃至描線する際に、片手で容易に取り扱うことができるようにする。【解決手段】マーキングペン１はペンホルダ１０に挿入されるものであり、ペンホルダ１０はポーチ部１１とベルト通し部１２とから構成され、ポーチ部１１にはねじ溝２３によりキャップ３を保持するキャップ保持筒２０と延長筒２１とが挿入されており、マーキングペン１はポーチ部１１内に保持されているキャップ３からペン本体２を抜き出すようにして使用され、使用後、ポーチ部１１に差し込むと、キャップ３と嵌合状態になる。【選択図】図１
2009286027.tif 000002
【特許請求の範囲】
【請求項１】
ペン本体のペン先部にキャップを挿脱可能に設けたマーキングペンを保持するペンホルダにおいて、
前記マーキングペンの使用者が着用する被服またはその付属品の一部を被着部として、この被着部に着脱可能に取り付けられる止着部と、この止着部に連結して設けられ、前記マーキングペンがそのキャップを下方に向けるようにして差し込まれるポケット状のポーチ部とからなり、
前記ポーチ部内にはキャップ保持筒が挿入され、
このキャップ保持筒に、少なくとも前記ペン本体を前記キャップから分離するのに必要な力以上の力で前記キャップを保持する保持力作用部を設け、
また前記キャップ保持筒は、前記ペン本体を前記ポーチ部から抜き出す際に、このポーチ部から脱出しないように保持可能な
構成としたことを特徴とするペンホルダ。
【請求項２】
前記止着部はベルト通し部であり、このベルト通し部は使用者が着用するズボン用ベルトに挿通されるものであることを特徴とする請求項１記載のペンホルダ。
【請求項３】
前記キャップ保持筒の内面にねじ溝を形成して、そのねじ山と前記キャップの外面とを摩擦係合させことにより前記保持力作用部となし、また前記キャップ保持筒には先端に前記ペン先部の呼び込みテーパ部を有する延長筒を着脱可能に嵌合させて設け、前記ペン本体を取り出す際に、前記延長筒を前記ポーチ部から脱出しないように摩擦係合させる構成としたことを特徴とする請求項１または請求項２記載のペンホルダ。
【請求項４】
前記ポーチ部及び止着部は布製または高分子樹脂製のものから構成され、また前記キャップ保持筒及び前記延長筒は金属若しくは硬質プラスチックで形成したことを特徴とする請求項３記載のペンホルダ。
【発明の詳細な説明】
【技術分野】
【０００１】
本発明は、マーキングペンを、その使用者が着用した被服乃至その付属品に保持させるようにして携帯し、このマーキングペンを、必要に応じてキャップを留置したままで、マーキングできる状態で取り出すことができるペンホルダに関するものである。
【背景技術】
【０００２】
マーキングペンは、そのペン先部に圧縮フェルトや合成繊維が設けられ、毛細管現象によりインクを吸い出して、描画乃至描線を可能にするペンである。このマーキングペンは、各種の工場等で広く使用される。例えば、製品の点検等を行う際に、良品と不良品とを分けるためのマーキングを行うことがあり、また特定の部材なり部品なりの点検が終了したことを示すためにもマーキングが使用されることがある。従って、作業者はマーキングペンを携帯することになるが、マーキングペンを携帯する場合、胸のポケットに挿入するのが一般的である。また、ベルトに挿通できるポーチや鞘部材等に差し込めるようにすることも可能である。
【０００３】
ここで、ベルトに挿通させる腰袋に各種の器具等を差し込むことができる構成としたものが、例えば特許文献１に示されている。この特許文献１では、ペンではないが、工事や修繕等の作業を行う作業者が腰に装着する腰袋に複数の差し込み用のポケットを設けてドライバ，ペンチ，メジャー，カッタ，ナイフ等を差し込むようになし、必要に応じて、この腰袋から取り出せるようにしている。
【特許文献１】特開２００７−１３０７４０号公報
【発明の開示】
【発明が解決しようとする課題】
【０００４】
前述した特許文献１から、ベルトに挿通可能なペンホルダを設けて、このペンホルダにマーキングペンを差し込むようにして携帯することは可能である。マーキングペンの場合には、ペン先部の乾燥防止のためにキャップが嵌合して設けられる。従って、このマーキングペンを使用する際には、キャップを取り外さなければならない。このために、マーキング作業を行う際には、まずペンホルダからマーキングペンを取り出して、キャップを取り外してマーキングを行うようにする。そして、このマーキングを行っている間は、キャップを手で保持しなければならない。マーキングが終了した後には、キャップを再装着して、ペンホルダに戻すことになる。
【０００５】
前述した操作は面倒であり、頻繁にマーキングをする場合には、相当な時間的なロスを伴うことになる。また、キャップを取り外す動作と、取り外したキャップを保持する動作と、キャップを再装着する動作とを行うために、両手が必要となる。従って、例えば片手で道具等を持っている場合には、これらから手を放さなければならず、さらにキャップの着脱時に取り落としたり、紛失したりする不都合もある。
【０００６】
本発明は以上の点に鑑みてなされたものであって、その目的とするところは、マーキングペンを片手で容易に取り扱うことができるペンホルダを提供することにある。
【課題を解決するための手段】
【０００７】
前述した目的を達成するために、本発明は、ペン本体のペン先部にキャップを挿脱可能に設けたマーキングペンを保持するペンホルダであって、前記マーキングペンの使用者が着用する被服またはその付属品の一部を被着部として、この被着部に着脱可能に取り付けられる止着部と、この止着部に連結して設けられ、前記マーキングペンがそのキャップを下方に向けるようにして差し込まれるポケット状のポーチ部とからなり、前記ポーチ部内にはキャップ保持筒が挿入され、このキャップ保持筒に、少なくとも前記ペン本体を前記キャップから分離するのに必要な力以上の力で前記キャップを保持する保持力作用部を設け、また前記キャップ保持筒は、前記ペン本体を前記ポーチ部から抜き出す際に、このポーチ部から脱出しないように保持可能な構成としたことをその特徴とするものである。
【０００８】
ペンホルダは止着部とポーチ部とから構成され、止着部は使用者が着用する被服や付属品、例えば作業用の上着やズボン，ヘルメット等も可能であるが、ズボン用ベルトに通すようにして止着することができる。また、止着部に連結されているポーチ部は、マーキングペンが差し込まれるように収容するものであり、ペン本体をペンホルダから取り出したときには、キャップをキャップ保持筒に保持させて、キャップホルダ側で所定の位置に留置させるようにする。マーキングペンがペンホルダに差し込まれた状態では、ペンホルダ全体がポーチ部の内部に埋入されるようにしても良いが、着脱操作を容易に行えるようにするためには、収容状態でペン本体の基端部から所定の長さだけポーチ部から突出するようにするのが望ましい。
【０００９】
いずれにしろ、ペン本体をポーチ部から取り出したときには、キャップをキャップ保持筒に保持させて、キャップホルダ側に再装着可能なように留置させる。マーキングペンのペン本体とキャップとの間は嵌合状態での保持力、つまり連結保持力を有することから、キャップをキャップ保持筒に係合させたときに、少なくともペン本体とキャップとの間の連結保持力より強い力をもってキャップをキャップ保持筒に係合させ、もってペン本体が再装着されたときには、確実にこのキャップ内に導かれるように固定する。マーキングペンのキャップは弾性を有する合成樹脂製のものが一般的であり、従ってキャップ保持筒には、キャップを保持するために、キャップの外面を押圧して弾性変形させることによって、キャップが脱出しないように保持する構成とすることができる。
【００１０】
マーキングペンのペン本体とキャップとの間には連結保持力を有するものであり、ペン本体をペンホルダから取り出す際に、ペン本体の抜き取りに対する抵抗となる。キャップ保持筒に保持力作用部を設けたのはこのためである。この保持力作用部の具体的な構成としては、例えば、キャップ保持筒の先端部に割りを入れ、かつその内径をキャップの外径より僅かに小さいものとすることによって、キャップをクランプする構成とすることができる。また、キャップ保持筒の内面に凹凸部を形成して、内面から内側に突出している部位をキャップに食い込ませるようにして保持することもできる。凹凸部はキャップ保持筒の内面にねじ溝を形成することができ、これによって凹凸部の形成を容易に行うことができる。この場合、ねじ山はある程度鋭利な尖端を有するものとし、かつその直径はキャップの外径より僅かに小さい寸法とする。
【００１１】
キャップはキャップ保持筒に係合しているが、ペン本体は長尺のものであり、このペン本体をポーチ部内で安定させる。このために、キャップ保持筒を長尺のものとすることができるが、キャップ保持筒を長尺化すると、内部に留置したキャップを取り出すのが困難になる。そこで、キャップ保持筒はキャップを保持するのに必要最小限の長さとし、このキャップ保持筒に延長筒を嵌合させるようにすることもできる。延長筒の長さ寸法としては、ペン本体の長さの１／２〜２／３程度とすると、ポーチ部による収容状態でのペン本体の安定性が確保され、携帯する使用者の手の動きに対する邪魔になるのを防止することができ、さらにポーチ部へのペン本体の挿脱を容易に行うことができる。キャップ保持筒と延長筒とは容易に着脱できるようにして連結する構成としても良く、また単に嵌合させておくだけでも良い。
【００１２】
ここで、マーキングペンは様々な種類があり、キャップの寸法形状もそれに応じて変わってくる。従って、キャップを保持するキャップ保持筒の形状も、マーキングペンの種類に応じて変えなければならない。キャップ保持筒と延長筒とを嵌合させるように構成することによって、ペンホルダと延長筒を共通化することができ、キャップ保持筒のみを交換すれば良いことになる。
【００１３】
ペン本体を取り出すときには、キャップ保持筒や延長筒にポーチ部から抜け出す方向にあまり大きな力が作用するわけではない。従って、キャップ保持筒、若しくはキャップ保持筒と延長筒が全体としてポーチ部の内部に安定的に保持させるために、ポーチ部の内面とキャップ保持筒の外面若しくはキャップ保持筒と延長筒の外面との間の摩擦力により保持させる。また、延長筒及びキャップ保持筒の重力も作用することから、ペン本体の取り出し時にキャップ保持筒や延長筒がポーチ部から脱出しないように安定的に保持させることができる。また、延長筒には、ペン本体を差し込む際の呼び込みを行わせるために、その先端に漏斗状に拡開する呼び込み部を形成することもできる。
【００１４】
ペンホルダを構成する少なくともポーチ部は布製または高分子樹脂製のものとすることができ、また皮革製等であっても良い。止着部はポーチ部と一体に形成するが、別部材で構成して連結するように構成することもできる。いずれにしろ軽量の部材であることが望ましい。一方、キャップ保持筒若しくはそれと延長筒とは硬質部材で構成し、ある程度重量を持たせるのが望ましい。硬質プラスチックから構成しても良いが、重量や強度等の点からは、好ましくは、金属製のもので構成する。
【発明の効果】
【００１５】
マーキングペンを構成するペン本体を片手で容易に取り扱うことができ、しかもペン本体を取り出すときには、キャップがポーチ部内の所定の位置に残留するので、マーキングペンの使用者がキャップを持つ必要がなく、落としたり、紛失したりすることはない。しかも、ペン本体を差し込むだけの操作でペン先部が確実にキャップにより覆われることになる。
【発明を実施するための最良の形態】
【００１６】
以下、図面に基づいて本発明の実施の形態について説明する。まず、図１にマーキングペンとそのペンホルダを分解して示す。１はマーキングペンであって、このマーキングペン１はペン本体２とキャップ３とから構成される。ペン本体２の先端には、先端側に向けて細くなるテーパ形状となったペン先部４が設けられる。ペン先部４からは芯軸としてのフェルト５が所定の長さだけ突出している。キャップ３は、図２に示したように、ペン先部４の部位を覆うように施蓋するためのものであり、キャップ３の内面とペン先部４の外面との間は摩擦により係合状態に保持可能な構成となっている。キャップ３は硬質プラスチックから構成されており、その内面がペン先部４のテーパ面に密着することになる。また、キャップ３の外面は、先端側が裁頭円錐形状となった円錐部３ａと、この円錐部３ａの最大径部に連なる円筒部３ｂとを有するものである。
【００１７】
マーキングペン１は、図３に示したように、ペンホルダ１０にこのマーキングペン１を差し込んだ状態として、その使用者により携帯されるものである。ペンホルダ１０は、マーキングペン１を収容させるポーチ部１１と、このポーチ部１１に連設されたループ状に折り返したベルト通し部１２とから構成されるものである。ポーチ部１１は鞘状乃至ポケット状のものから構成されている。このペンホルダ１０は、そのベルト通し部１２を使用者が着用するズボン用ベルトに挿通させて、ポーチ部１１を吊下させるようにして腰に着用されるものであり、ベルト通し部１２がペンホルダ１０の止着部を構成する。ここで、ペンホルダ１０は、その全体が布製または高分子樹脂製のものである。
【００１８】
ポーチ部１１は所定の深さを有するポケット状のものであり、その内部には、キャップ保持筒２０と延長筒２１とが挿入されている。これらキャップ保持筒２０及び延長筒２１は金属筒体から構成されるものであって、キャップ保持筒２０を奥側に、延長筒２１を入口側に配置されるようになっている。図４及び図５に示したように、キャップ保持筒２０の外径より延長筒２１の内径の方が大きくなっている。また、キャップ保持筒２０の外周面には、ストッパ突条２２が設けられている。従って、延長筒２１はキャップ保持筒２０から分離すると図４のようになり、延長筒２１をキャップ保持筒２０に嵌合させると、この延長筒２１はストッパ突条２２と当接する位置まで嵌合されるようになっている。そして、キャップ保持筒２０に嵌合される延長筒２１の先端部は内径が拡開するテーパ状の呼び込み部２１ａが形成されている。
【００１９】
キャップ保持筒２０の先端側の内面にねじ溝２３が形成されており、このねじ溝２３はマーキングペン１のキャップ３を係合して保持するための保持力作用部として機能するものである。ねじ溝２３のねじ山の内径はキャップ３の円筒部３ｂより小さい直径を有するものであり、キャップ３をキャップ保持筒２０に押し込むと、押し込み途中で円錐部３ａの外面がねじ溝２３のねじ山と係合することになり、その間に圧接力を作用させることによって、好ましくはキャップ３をねじ溝２３にねじ込むように圧接させることによって、円錐部３ａの外面が食い込まれるように押圧変形させて、連結状態に保持されるようになっている。そして、マーキングペン１は、その全体のうち、最も太径の部位、本実施の形態においては、キャップ３の円筒部３ｂ及びペン本体２の外径が最も太径となっており、延長筒２１の内径は、それより僅かに大きい寸法を有するものである。
【００２０】
ポーチ部１１には、キャップ保持筒２０と延長筒２１とを嵌合させた状態にしてキャップ保持筒２０を奥側にして挿入される。そして、延長筒２１は、ほぼその全長がポーチ部１１の内部に収容されて、延長筒２１の先端の呼び込み部２１ａがポーチ部１１の先端から僅かに覗く深さとなっている。さらに、キャップ保持筒２０及び延長筒２１はポーチ部１１に挿入されたときには、このポーチ部１１の内面が延長筒２１の外面と密着する状態となり、その間に摩擦力が作用するようにしている。キャップ３は予めキャップ保持筒２０に組み込まれており、マーキングペン１のペン本体２を下向きにしてポーチ部１１内に挿入すると、具体的にはペン本体２を延長筒２１内に挿入すると、マーキングペン１全体がポーチ部１１内で安定的に保持され、しかもペン本体２を容易に取り出せるようにするために、ペン本体２の概略１／２〜１／３程度がポーチ部１１の先端から突出する状態となるようにしている。
【００２１】
ここで、ペン本体２と、このペン本体２のペン先部４に嵌合させたキャップ３とから構成されるマーキングペン１はキャップ３を取り外して描画乃至描線することになるが、キャップ３は簡単には分離しないように保持される。このために、キャップ３とペン先部４との間にはある程度の摩擦保持力が作用するようにしている。そこで、ねじ溝２３によるキャップ３の保持力及びポーチ部１１とキャップ保持筒２０及び延長筒２１との間の摩擦係合力は、少なくともペン本体２をキャップ３から分離する時の摩擦抵抗より十分大きいものとし、もってペンホルダ１０に差し込んだマーキングペン１のペン本体２を取り出す際には、キャップ３を確実にポーチ部１１内に留置するようになし、かつ延長筒２１やキャップ保持筒２０がポーチ部１１から抜け出さないようになる。
【００２２】
以上のように構成することによって、例えば工場内において、生産した部品の目視検査等の作業を行う際に、作業者が着用するズボン用ベルトにペンホルダ１０のベルト通し部１２を挿通させて、ポーチ部１１内にマーキングペン１を差し込むようにして携帯され、作業中に必要に応じて使用される。そして、必要に応じて、検査が終了した個所や、検査の結果不良が確認された個所等にマーキングするために、このマーキングペン１が用いられる。
【００２３】
検査やその他の作業を実行している間は、両手が自由になるので、作業を容易かつ円滑に進行させることができる。そして、マーキングを行うべき部位が検出されると、ペンホルダ１０からマーキングペン１を取り出すが、この操作は片手で行うことができる。ペンホルダ１０のポーチ部１１の内部にはキャップ保持筒２０及び延長筒２１が挿入されており、キャップ保持筒２０に設けたねじ溝２３にマーキングペン１のキャップ３を係合させることにより保持させているので、使用時に取り出されるのはペン本体２であり、キャップ３はポーチ部１１内に留置される。ペン本体２は片手で把持されるものであり、もう一方の手は自由な状態となっているので、例えば工具等を保持することもできる。しかも、キャップ３はペンホルダ１０内に留置されているので、取り落としや紛失のおそれもない。そして、マーキング作業が終了すると、マーキングペン１を戻すために、ペン本体２をポーチ部１１内に設けた延長筒２１内に挿入するが、この延長筒２１には呼び込み部２１ａが設けられているので、ポーチ部１１を格別目視により確認しなくても、容易にペン本体２を所定の位置に挿入することができる。そして、ペン本体２を押し込む過程でキャップ３により施蓋されることになる。従って、使用者の手や被服、ベルト等がインクで汚損されるおそれはない。
【００２４】
ペンホルダ１０はベルトから吊下されているので、ペン本体２を下向きに保持される。従って、インクは重力の作用によりペン先部４から突出するフェルト５には確実にインクが浸透して湿潤状態に保持される。また、キャップ３により施蓋されているので、フェルト５が乾燥することもない。従って、マーキングペン１は、インクが使い切られるまで円滑に描画乃至描線をできる状態に保持される。
【００２５】
マーキングペン１が使い切られると、ペンホルダ１０のポーチ部１１から延長筒２１及びキャップ保持筒２０を取り出す。延長筒２１をキャップ保持筒２０から分離すると、キャップ保持筒２０の先端からキャップ３の円筒部３ｂが突出した状態に保持されている。従って、この円筒部３ｂを引き出すようにしてキャップ保持筒２０からキャップ３を分離して、新たなマーキングペン１のキャップ３をキャップ保持筒２０に挿入して、その円錐部３ａをねじ溝２３に係合させる。このときに、キャップ３をねじ溝２３に対して捩じ込むようにして押圧すると、キャップ３はある程度強固にキャップ保持筒２０に連結されることになる。この状態で、キャップ保持筒２０をポーチ部１１内に挿入し、その上から延長筒２１を挿入する。延長筒２１はキャップ保持筒２０に設けたストッパ突条２２と当接して、このキャップ保持筒２０をポーチ部１１の内奥まで押し込まれる。この状態から、ペン本体２を延長筒２１内に挿入すると、そのペン先部４がキャップ３により施蓋される。これによって、新たなマーキングペン１が使用可能な状態になる。
【図面の簡単な説明】
【００２６】
【図１】マーキングペンとペンホルダとを分解して示す正面図である。
【図２】キャップによりペン先部を施蓋した状態のマーキングペンの正面図である。
【図３】マーキングペンをペンホルダに装着した状態を示す側面図である。
【図４】マーキングペンの要部と共に示す、キャップ保持筒と延長筒とを分解した断面図である。
【図５】マーキングペンの要部と共に示す、キャップ保持筒と延長筒とを組み込んだ状態の断面図である。
【符号の説明】
【００２７】
１  マーキングペン
２  ペン本体
３  キャップ
３ａ  円錐部
３ｂ  円筒部
４  ペン先
１０  ペンホルダ
１１  ポーチ部
１２  ベルト通し部
２０  キャップ保持筒
２１  延長筒
２２  ストッパ突条
２３  ねじ溝
【図１】
2009286027.tif 000003
【図２】
2009286027.tif 000004
【図３】
2009286027.tif 000005
【図４】
2009286027.tif 000006
【図５】
2009286027.tif 000007